【事件の表示】
　特願２０１４−２４２１３８「タッチパネル装置及び画像表示方法」拒絶査定不服審判事件〔平成２８年　６月　２日出願公開、特開２０１６−１０３２１４、請求項の数（４）〕について、次のとおり審決する。
【結　論】
　原査定を取り消す。
　本願の発明は、特許すべきものとする。
【理　由】
第１　手続の経緯
　本願は，平成２６年１１月２８日を出願日とする出願であって，その手続の経緯は以下のとおりである。
　平成３０年　５月１７日付け　　　拒絶理由通知書
　平成３０年　７月１１日　　　　　意見書，手続補正書の提出
　平成３０年　７月２３日付け　　　拒絶査定（以下，「原査定」という。
　　　　　　　　　　　　　　　　　）
　平成３０年１０月２４日　　　　　審判請求書，手続補正書の提出
　平成３１年　１月　４日　　　　　上申書の提出
第２　原査定の概要
　原査定の概要は，次のとおりである。
１　この出願の請求項１，４及び５に係る発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない。
２　この出願の請求項１及び３ないし５に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　＜引用文献等一覧＞
１　特開２００８−４６９５７号公報
第３　審判請求時の補正について
　審判請求時の補正は，特許法第１７条の２第３項から第６項までの要件に違反しているものとはいえない。
　審判請求時の補正によって，請求項１の「速度決定手段」及び請求項４の「速度決定ステップ」について，「１回目の接触に係る検出圧力値に応じて、２回目以降の検出圧力値に対応する速度が増加するように、前記速度を決定する」という事項を追加する補正は，速度決定について限定を追加するものであるから，特許請求の範囲の減縮を目的とするものである。また，上記「１回目の接触に係る検出圧力値に応じて、２回目以降の検出圧力値に対応する速度が増加するように、前記速度を決定する」ことは，「（実施の形態２）」（段落【００５７】ないし【００６９】）に記載されているから，「１回目の接触に係る検出圧力値に応じて、２回目以降の検出圧力値に対応する速度が増加するように、前記速度を決定する」という事項は，当初明細書等に記載された事項であり，新規事項を追加するものではない。
　そして，「第４　本願発明」から「第６　対比・判断」までに示すように，補正後の請求項１ないし４に係る発明は，独立特許要件を満たすものである。
　加えて，審判請求時の補正によって，補正前の請求項２に係る記載を削除し，補正前の請求項３ないし５を補正後の請求項２ないし４とし，請求項の引用関係に関する記載を変更する補正は，請求項を削除を目的とするとともに，請求項の削除に伴い明りょうでない記載となった請求項を明りょうな記載とするものであるから，明りょうでない記載の釈明を目的とするものである。
第４　本願発明
　本願請求項１ないし４に係る発明（以下，それぞれ「本願発明１」ないし「本願発明４」という。）は，平成３０年１０月２４日に提出された手続補正書で補正された特許請求の範囲の請求項１ないし４に記載された事項により特定される以下のとおりの発明である。
「【請求項１】
　被接触面を備え、該被接触面との接触により位置の指定を受け付けるタッチパネル装置において、
　接触の際前記被接触面に与えられる圧力値を検出する検出手段と、
　複数の位置の指定に係る位置に基づいて方向を決定する方向決定手段と、
　前記検出手段の検出結果に基づいて速度を決定する速度決定手段と、
　決定された方向及び速度に基づいて、画像を移動表示する表示部と
　を備え、
　前記速度決定手段は、所定以下の間隔にて複数の接触があった場合、斯かる接触の都度、接触の際前記被接触面に与えられる圧力の変化に応じて前記速度を変更させるように構成され、
　前記速度決定手段は、１回目の接触に係る検出圧力値に応じて、２回目以降の検出圧力値に対応する速度が増加するように、前記速度を決定することを特徴とするタッチパネル装置。
　　【請求項２】
　前記方向決定手段は前記複数の接触のうち、何れか２つの接触に基づいて方向を決定し、
　前記速度決定手段は２回目以降の何れかの接触に対する前記検出手段の検出結果に基づいて前記速度を決定するように構成されていることを特徴とする請求項１に記載のタッチパネル装置。
　　【請求項３】
　複数の圧力値の範囲を定める閾値を記憶している記憶部を備え、
　前記速度決定手段は前記閾値に基づいて速度を決定するように構成されていることを特徴とする請求項１又は２に記載のタッチパネル装置。
　　【請求項４】
　被接触面と、該被接触面への接触の際該被接触面に与えられる圧力値を検出する検出部とを備え、該被接触面との接触により位置の指定を受け付けるタッチパネル装置にて、画像を表示する画像表示方法において、
　複数の位置の指定に係る位置に基づいて方向を決定する方向決定ステップと、
　前記検出部による検出結果に基づいて速度を決定する速度決定ステップと、
　決定された方向及び速度に基づいて、画像を移動表示するステップと
　を含み、
　前記速度決定ステップにおいて、所定以下の間隔にて複数の接触があった場合、斯かる接触の都度、接触の際前記被接触面に与えられる圧力の変化に応じて前記速度を変更させ、かつ、１回目の接触に係る検出圧力値に応じて、２回目以降の検出圧力値に対応する速度が増加するように、前記速度を決定することを特徴とする画像表示方法。」
第５　引用文献，引用発明等
１　引用文献１について
　原査定の拒絶の理由に引用された引用文献１には，図面とともに次の事項が記載されている。
「【技術分野】
【０００１】
　本発明は情報処理装置に係り、特に、表示画面をスクロールすることができるようにした情報処理装置に関する。」
「【発明が解決しようとする課題】
【０００７】
　しかしながら、特許文献１乃至３に提案されている方法では、触覚センサを用いて所望のスクロール速度とスクロール方向を決定し、そのスクロール速度とスクロール方向でスクロールすることができるが、携帯電話機においては触覚センサが占有することができるスペースは少ないため、所望のスクロールを行わせるためには、繰り返し同様の操作をしなければならず、このような操作はユーザにとって煩わしいという課題があった。
【０００８】
　本発明は、このような状況に鑑みてなされてものであり、限られた資源においても、所望のスクロール条件を短時間に、かつ、簡単に設定することができる情報処理装置を提供することを目的とする。」
「【００２９】
　さらに、第１の筐体１２の所定の位置には、
圧力センサなどを高集積化することにより形成されるセンサである触覚センサ２０が設けられる。
「【００５６】
　
触覚センサ２０は、触覚センサ２０上に接触した物体（例えば、ユーザの指やタブレットなど）を逐次検出して検出信号を生成
この検出信号には、物体（例えば、ユーザの指やタブレットなど）の触覚センサ２０上における位置情報（Ｘ軸方向とＹ軸方向の座標情報）と、その位置における圧力情報が含まれる。
「【００７２】
　図６のフローチャートを参照して、図５のカメラ付ディジタル携帯電話機１におけるスクロール制御処理について説明する。このスクロール制御処理は、ユーザにより、カメラ付ディジタル携帯電話機１の所定の位置に設けられた触覚センサ２０上のいずれかの場所に例えばユーザの指などが接触されることで開始される。
【００７３】
　ステップＳ１において、触覚センサ２０は、触覚センサ２０上に接触した物体を逐次検出して検出信号を生成し、生成された検出信号を位置情報取得部５１に供給する。この検出信号には、物体（例えば、ユーザの指やタブレットなど）の触覚センサ２０上における位置情報（例えば図７に示されるようなＸ軸方向とＹ軸方向の座標情報）と、その位置における圧力情報が含まれる。
【００７４】
　ステップＳ２において、位置情報取得部５１は、触覚センサ２０から供給された検出信号から、触覚センサ２０上に接触された図示せぬ物体の位置情報を逐次取得し、取得された位置情報を始点・終点設定部５２に供給する。
【００７５】
　ステップＳ３において、始点・終点設定部５２は、位置情報取得部５１から供給された位置情報を取得するとともに、触覚センサ２０上の図示せぬ物体の始点がすでに設定されているか否かを判定する。
【００７６】
　ステップＳ３において触覚センサ２０上の図示せぬ物体の始点がまだ設定されていないと判定された場合、始点・終点設定部５２はステップＳ４で、取得された図示せぬ物体の位置情報に基づいて、触覚センサ２０上の図示せぬ物体の始点（例えば、図７における始点Ｐ１）を設定し、設定された図示せぬ物体の始点に関するデータである始点設定データをスクロール条件設定部５３のスクロール方向設定部５５と移動距離算出部５６に供給する。この始点設定データには、始点であることを示すデータ（例えば図７の例の場合、Ｐ１が始点であることを示すデータ）と、始点に設定された位置の位置情報（Ｘ軸方向とＹ軸方向の座標情報；図７の例の場合、（Ｘ１，Ｙ１））が含まれる。
【００７７】
　その後、処理はステップＳ１に戻り、ステップＳ１以降の処理が繰り返される。
【００７８】
　次に、ユーザは、カメラ付ディジタル携帯電話機１の所定の位置に設けられた触覚センサ２０上のいずれかの場所に接触された指やタブレットなどを触覚センサ２０上において所望の方向などに動かす。これにより、ステップＳ５以降の処理が実行され、ステップＳ６において終点設定処理が行われる。
【００７９】
　ステップＳ３において触覚センサ２０上の図示せぬ物体の始点がすでに設定されていると判定された場合、始点・終点設定部５２はステップＳ５で、取得された図示せぬ物体の位置情報に基づいて、図示せぬ物体が直前に検出された位置と異なる位置で検出されたか否かを判定する。例えば図７の例の場合、図示せぬ物体（例えば、ユーザの指やタブレットなど）の直前の位置がＰ４であるとき、図示せぬ物体がＰ５の位置で検出されると、図示せぬ物体が直前に検出された位置と異なる位置で検出されたと判定される。
【００８０】
　ステップＳ５において図示せぬ物体が直前に検出された位置と異なる位置で検出されたと判定された場合、処理はステップＳ１に戻り、ステップＳ１以降の処理が繰り返される。これにより、図示せぬ物体（例えば、ユーザの指やタブレットなど）が直前に検出された位置と異なる位置で検出されなくなるまで、物体の位置情報を逐次検出することができる。
【００８１】
　ステップＳ５において図示せぬ物体が直前に検出された位置と異なる位置で検出されていないと判定された場合（すなわち、図示せぬ物体が直前に検出された位置と同じ位置で再度検出されたと判定された場合）、始点・終点設定部５２はステップＳ６で、図示せぬ物体が最後に検出された位置情報をもつ位置（例えば、図７における終点Ｐｎ）に終点を設定し、設定された終点に関するデータである終点設定データをスクロール条件設定部５３のスクロール方向設定部５５と移動距離算出部５６に供給する。この終点設定データには、終点であることを示すデータ（例えば図７の例の場合、Ｐ１が終点であることを示すデータ）と、終点に設定された位置の位置情報（Ｘ軸方向とＹ軸方向の座標情報；図７の例の場合、（Ｘｎ，Ｙｎ））が含まれる。
【００８２】
　ステップＳ７において、スクロール方向設定部５５は、始点・終点設定部５２から供給された始点設定データを取得するとともに、始点・終点設定部５２から供給された終点設定データを取得し、取得された始点設定データおよび終点設定データに基づいて、図示せぬ物体の終点の位置が始点の位置よりも上方にあるか否かを判定する。すなわち、終点に設定された位置のＹ軸方向の座標が、始点に設定された位置のＹ軸方向の座標よりも大きいか否かを判定する。図７の例の場合、終点Ｐｎに設定された位置のＹ軸方向の座標Ｙｎは、始点Ｐ１に設定された位置のＹ軸方向の座標Ｙ１よりも大きいことから、図示せぬ物体の終点Ｐｎの位置が始点Ｐ１の位置よりも上方にあると判定される。
【００８３】
　ステップＳ７において図示せぬ物体の終点の位置が始点の位置よりも上方にあると判定された場合、スクロール方向設定部５５はステップＳ８で、図示せぬ物体は上方に移動したと認識する。ステップＳ９において、スクロール方向設定部５５は、表示画面のスクロールを実行する際のスクロール方向を上方に設定し、設定されたスクロール方向に関する設定であるスクロール方向設定データ（スクロール方向が上方に設定されたスクロール方向設定データ）をスクロール実行制御部５４に供給する。
【００８４】
　一方、ステップＳ７において図示せぬ物体の終点の位置が始点の位置よりも下方にあると判定された場合、スクロール方向設定部５５はステップＳ１０で、図示せぬ物体は下方に移動したと認識する。ステップＳ１１において、スクロール方向設定部５５は、表示画面のスクロールを実行する際のスクロール方向を下方に設定し、設定されたスクロール方向に関する設定であるスクロール方向設定データ（スクロール方向が下方に設定されたスクロール方向設定データ）をスクロール実行制御部５４に供給する。
【００８５】
　ステップＳ１２において、移動距離算出部５６は、始点・終点設定部５２から供給された始点設定データを取得するとともに、始点・終点設定部５２から供給された終点設定データを取得し、取得された始点設定データおよび終点設定データに基づいて、図示せぬ物体の移動した距離である移動距離を算出する。具体的には、図７の例の場合、始点Ｐ１（Ｘ１，Ｙ１）と終点Ｐｎ（Ｘｎ，Ｙｎ）の間の距離を算出する。
【００８６】
　移動距離算出部５６は、算出された移動距離算出結果をスクロール速度設定部５７に供給する。
【００８７】
　ステップＳ１３において、スクロール速度設定部５７は、移動距離算出部５６から供給
された移動距離算出結果を取得し、取得された移動距離算出結果に基づいて、図示せぬ物体の触覚センサ２０上における移動距離が予め設定された所定の基準値よりも大きいか否かを判定する。
【００８８】
　ステップＳ１３において図示せぬ物体の触覚センサ２０上における移動距離が予め設定された所定の基準値よりも大きいと判定された場合、スクロール速度設定部５７はステップＳ１４で、スクロール速度を速めのスクロール速度Ａに設定し、設定されたスクロール速度に関するデータであるスクロール速度設定データ（スクロール速度が速めのスクロール速度Ａに設定されたスクロール速度設定データ）をスクロール実行制御部５４に供給する。
【００８９】
　一方、ステップＳ１３において図示せぬ物体の触覚センサ２０上における移動距離が予め設定された所定の基準値よりも小さいと判定された場合、スクロール速度設定部５７はステップＳ１５で、スクロール速度を遅めのスクロール速度Ｂに設定し、設定されたスクロール速度に関するデータであるスクロール速度設定データ（スクロール速度が遅めのスクロール速度Ｂに設定されたスクロール速度設定データ）をスクロール実行制御部５４に供給する。
【００９０】
　ステップＳ１６において、スクロール実行制御部５４は、スクロール方向設定部５５から供給されたスクロール方向設定データ（スクロール方向が上方または下方に設定されたスクロール方向設定データ）を取得するとともに、スクロール速度設定部５７から供給されたスクロール速度設定データ（スクロール速度が速めのスクロール速度Ａまたは遅めのスクロール速度Ｂに設定されたスクロール速度設定データ）を取得し、ＬＣＤ制御部３６を制御し、取得されたスクロール方向設定データおよびスクロール速度設定データに基づいて表示画面のスクロールの実行を制御し、ＬＣＤ制御部３６に、設定されたスクロール方向とスクロール速度で液晶ディスプレイ１７に表示される表示画面のスクロールを実行させる。」
「【０１６０】
　なお、本発明の第１実施形態においては、設定された始点と終点との距離（図示せぬ物体の移動距離）を算出し、算出された移動距離算出結果に基づいてスクロール速度を設定するようにしたが、始点と終点との間における図示せぬ物体の押圧を算出し、算出された始点・終点間における押圧に応じてスクロール速度を設定するようにしてもよい。これにより、カメラ付ディジタル携帯電話機１の所定の位置に設けられた触覚センサ２０の面積が小さく、図示せぬ物体が触覚センサ２０上を移動しにくい場合であっても、所望のスクロール条件を短時間に、かつ、簡単に設定することができる。以下、本発明の第４実施形態について説明する。
【０１６１】
［第４実施形態］
　図１６を参照して、本発明に係る情報処理装置に適用可能な
カメラ付ディジタル携帯電話機１の第４実施形態におけるスクロール制御方法
【０１６２】
　図１６に示されるように、ユーザにより、
カメラ付ディジタル携帯電話機１の所定の位置に設けられた触覚センサ２０
始点Ｐ１と終点Ｐｎとの間における押圧が大きいことから、スクロールの速度は速めのスクロール速度Ａに設定され、設定されたスクロール速度Ａで表示画面のスクロールが実行される。
【０１６３】
　一方、カメラ付ディジタル携帯電話機１の所定の位置に設けられた触覚センサ２０上の始点Ｑ１に例えば指が接触され、触覚センサ２０上の終点Ｑｎまで移動された後に触覚センサ２０から離された場合、
始点Ｑ１と終点Ｑｎとの間における押圧が小さいことから、スクロールの速度は遅めのスクロール速度Ｂに設定され、設定されたスクロール速度Ｂで表示画面のスクロールが実行される。
【０１６４】
　図１７は、本発明に係る情報処理装置に適用可能なカメラ付ディジタル携帯電話機１の第４実施形態が実行することができる機能的な構成を表している。なお、図５の構成に対応するものについては同一の符号を付しており、その説明は繰り返しになるので省略する。
【０１６５】
　圧力情報取得部６２は、例えば図３の主制御部３１などにより実現され、触覚センサ２０から供給された検出信号から、触覚センサ２０上に接触された図示せぬ物体の圧力情報を逐次取得し、取得された圧力情報をスクロール条件設定部５３の押圧算出部６３に供給する。
【０１６６】
　スクロール条件設定部５３は、例えば図３の主制御部３１などにより実現され、スクロール方向を設定するスクロール方向設定部５５、スクロール速度を設定するスクロール速度設定部５７、および、図示せぬ物体の移動の始点と終点との間における押圧を算出する押圧算出部６３により構成される。
【０１６７】
　押圧算出部６３は、例えば図３の主制御部３１などにより実現され、
圧力情報取得部６２から供給された圧力情報を取得し、取得された圧力情報に基づいて、設定された始点と終点との間における図示せぬ物体の押圧の最大値を算出し、算出された押圧算出結果をスクロール速度設定部５７に供給する。
【０１６８】
　
スクロール速度設定部５７は、押圧算出部６３から供給された押圧算出結果を取得し、取得された押圧算出結果が予め設定された所定の基準値よりも大きいか否かを判定する。取得された押圧算出結果が予め設定された所定の基準値よりも大きいと判定された場合、スクロール速度設定部５７は、スクロール速度を速めのスクロール速度Ａに設定する。一方、取得された押圧算出結果が予め設定された所定の基準値よりも小さいと判定された場合、スクロール速度設定部５７は、スクロール速度を遅めのスクロール速度Ｂに設定する。
【０１６９】
　次に、
図１８のフローチャートを参照して、図１７のカメラ付ディジタル携帯電話機１におけるスクロール制御処理について説明する。なお、図１８のステップＳ８１乃至Ｓ８２、ステップＳ８４乃至Ｓ９２、およびステップＳ９７の処理は、図６のステップＳ１乃至Ｓ１１、およびステップＳ１６の処理と基本的には同様であり、その説明は繰り返しになるので省略する。
【０１７０】
　ステップＳ８３において、圧力情報取得部６２は、触覚センサ２０から供給された検出信号から、触覚センサ２０上に接触された図示せぬ物体の圧力情報を逐次取得し、取得された圧力情報をスクロール条件設定部５３の押圧算出部６３に供給する。
【０１７１】
　その後、処理はステップＳ８４に進み、ステップＳ８４以降の処理が繰り返される。これにより、位置情報により設定された始点から終点までの図示せぬ物体の圧力情報を逐次取得することができる。
【０１７２】
　ステップＳ９３において、押圧算出部６３は、圧力情報取得部６２から供給された圧力情報を取得し、取得された圧力情報に基づいて、設定された始点と終点との間における図示せぬ物体の押圧の最大値を算出し、算出された押圧算出結果をスクロール速度設定部５７に供給する。
【０１７３】
　ステップＳ９４において、スクロール速度設定部５７は、押圧算出部６３から供給された押圧算出結果を取得し、取得された押圧算出結果が予め設定された所定の基準値よりも大きいか否かを判定する。ステップＳ９４において取得された押圧算出結果が予め設定された所定の基準値よりも大きいと判定された場合、スクロール速度設定部５７はステップＳ９５で、スクロール速度を速めのスクロール速度Ａに設定する。一方、ステップＳ９４において取得された押圧算出結果が予め設定された所定の基準値よりも小さいと判定された場合、スクロール速度設定部５７はステップＳ９６で、スクロール速度を遅めのスクロール速度Ｂに設定する。
【０１７４】
　本発明の第４実施形態においては、カメラ付ディジタル携帯電話機１の所定の位置に設けられた
触覚センサ２０によって図示せぬ物体が逐次検出されることで始点と終点が設定され、設定された始点設定データと終点設定データに基づいてスクロール方向を設定するとともに、始点と終点との間における図示せぬ物体の押圧を算出し、算出された始点・終点間における押圧に応じてスクロール速度を設定する
　したがって，上記引用文献１には次の発明（以下，「引用発明１」という。）が記載されている。
「触覚センサ２０が設けられたカメラ付ディジタル携帯電話機１であって，
　触覚センサ２０は，圧力センサなどが高集積化することにより形成されるセンサであり，触覚センサ２０上に接触した物体を逐次検出して検出信号を生成し，
　検出信号には，物体の触覚センサ２０上における位置情報と，その位置における圧力情報が含まれ，
　触覚センサ２０によって物体が逐次検出されることで始点と終点が設定され，設定された始点設定データと終点設定データに基づいてスクロール方向を設定するとともに，始点と終点との間における物体の押圧を算出し，算出された始点・終点間における押圧に応じてスクロール速度を設定し，スクロールを実行するものであって，
　圧力情報に基づいて，設定された始点と終点との間における物体の押圧の最大値を算出し，
　押圧算出結果が予め設定された所定の基準値よりも大きいと判定された場合，スクロール速度を速めのスクロール速度Ａに設定し，
　押圧算出結果が予め設定された所定の基準値よりも小さいと判定された場合，スクロール速度を遅めのスクロール速度Ｂに設定する，
　カメラ付ディジタル携帯電話機１。」
　また，上記引用文献１には次の発明（以下，「引用発明２」という。）も記載されている。
「触覚センサ２０が設けられたカメラ付ディジタル携帯電話機１のスクロール制御方法であって，
　触覚センサ２０は，圧力センサなどが高集積化することにより形成されるセンサであり，触覚センサ２０上に接触した物体を逐次検出して検出信号を生成し，
　検出信号には，物体の触覚センサ２０上における位置情報と，その位置における圧力情報が含まれ，
　触覚センサ２０によって物体が逐次検出されることで始点と終点が設定され，
　設定された始点設定データと終点設定データに基づいてスクロール方向を設定し，
　始点と終点との間における物体の押圧を算出し，
　算出された始点・終点間における押圧に応じてスクロール速度を設定し，
　設定された速度によりスクロールが実行される制御方法であって，
　圧力情報に基づいて，設定された始点と終点との間における物体の押圧の最大値を算出し，
　押圧算出結果が予め設定された所定の基準値よりも大きいと判定された場合，スクロール速度を速めのスクロール速度Ａに設定し，
　押圧算出結果が予め設定された所定の基準値よりも小さいと判定された場合，スクロール速度を遅めのスクロール速度Ｂに設定する，
　ことを特徴とするスクロール制御方法。」
第６　対比・判断
１　本願発明１について
（１）対比
　本願発明１と引用発明１とを対比すると，次のことがいえる。
ア　引用発明１の「カメラ付ディジタル携帯電話機１」は，「触覚センサ２０」を設けており，この「触覚センサ２０」は，触覚センサ２０上に接触した物体を逐次検出しているから，この接触のために，本願発明１の「被接触面」に相当する構成を備えていると認められる。そして，引用発明１の「触覚センサ２０」は，物体の触覚センサ２０上における位置情報を出力しているから，引用発明１の「カメラ付ディジタル携帯電話機１」は，本願発明１の「該被接触面との接触により位置の指定を受け付け」ていると同様の動作をしていると認められる。
　そうすると，引用発明１の「カメラ付ディジタル携帯電話機１」は，本願発明１の「被接触面を備え、該被接触面との接触により位置の指定を受け付けるタッチパネル装置」に相当する。
イ　引用発明１の「触覚センサ２０」は，圧力センサなどが高集積化することにより形成されるセンサであるから，引用発明１の「カメラ付ディジタル携帯電話機１」は，本願発明１の「接触の際前記被接触面に与えられる圧力値を検出する検出手段」と同様の手段を備えていると認められる。
ウ　引用発明１の「カメラ付ディジタル携帯電話機１」は，触覚センサ２０によって物体が逐次検出されることで始点と終点が設定され，設定された始点設定データと終点設定データに基づいてスクロール方向を設定しているから，本願発明１の「複数の位置の指定に係る位置に基づいて方向を決定する方向決定手段」と同様の手段を備えていると認められる。
エ　引用発明１の「カメラ付ディジタル携帯電話機１」は，始点と終点との間における物体の押圧を算出し，算出された始点・終点間における押圧に応じてスクロール速度を設定しているから，本願発明１の「前記検出手段の検出結果に基づいて速度を決定する速度決定手段」と同様の手段を備えていると認められる。
オ　引用発明１の「カメラ付ディジタル携帯電話機１」は，設定されたスクロール方向及びスクロール速度でスクロールを実行するものであるから，本願発明１の「決定された方向及び速度に基づいて、画像を移動表示する表示部」と同様の表示部を備えていると認められる。
カ　「速度決定手段」について，引用発明１の「圧力情報に基づいて，設定された始点と終点との間における物体の押圧の最大値を算出し，押圧算出結果が予め設定された所定の基準値よりも大きいと判定された場合，スクロール速度を速めのスクロール速度Ａに設定し，押圧算出結果が予め設定された所定の基準値よりも小さいと判定された場合，スクロール速度を遅めのスクロール速度Ｂに設定する」ことと，本願発明１の「前記速度決定手段は、所定以下の間隔にて複数の接触があった場合、斯かる接触の都度、接触の際前記被接触面に与えられる圧力の変化に応じて前記速度を変更させるように構成され、前記速度決定手段は、１回目の接触に係る検出圧力値に応じて、２回目以降の検出圧力値に対応する速度が増加するように、前記速度を決定すること」は，「接触の際前記被接触面に与えられる圧力の変化に応じて前記速度を決定する」点で共通する。
キ　したがって，本願発明１と引用発明１との間には，次の一致点，相違点があるといえる。
［一致点］
「被接触面を備え，該被接触面との接触により位置の指定を受け付けるタッチパネル装置において，
　接触の際前記被接触面に与えられる圧力値を検出する検出手段と，
　複数の位置の指定に係る位置に基づいて方向を決定する方向決定手段と，
　前記検出手段の検出結果に基づいて速度を決定する速度決定手段と，
　決定された方向及び速度に基づいて、画像を移動表示する表示部と，
　を備え，
　前記速度決定手段は，接触の際前記被接触面に与えられる圧力の変化に応じて前記速度を決定することを特徴とするタッチパネル装置。」
［相違点１］
　「接触の際前記被接触面に与えられる圧力の変化に応じて前記速度を決定する」点について，本願発明１が「所定以下の間隔にて複数の接触があった場合、斯かる接触の都度、接触の際前記被接触面に与えられる圧力の変化に応じて前記速度を変更させるように構成され、前記速度決定手段は、１回目の接触に係る検出圧力値に応じて、２回目以降の検出圧力値に対応する速度が増加するように、前記速度を決定する」のに対して，引用発明１はそのような決定を行っていない点。
（２）相違点についての判断
　上記［相違点１］について検討すると，［相違点１］に係る速度の決定方式は，引用文献１に記載されておらず，又，周知の技術であるともいえないから，本願発明１は引用発明１ではなく，又，引用発明１に基づいて容易に発明できたものであるとはいえない。
　なお，引用文献１には，第７実施形態（段落【０２１３】ないし【０２２８】）として，一度設定されたスクロール条件を記憶して，その後は，記憶されているスクロール条件でスクロールを実行することも開示されている。しかし，たとえ引用発明１に，さらに第７実施形態のものを組み合わせたとしても，圧力値により設定された（一定の）スクロール条件に基づいて，その後は，スクロールを実行するのみであって，［相違点１］のように，「斯かる接触の都度、接触の際前記被接触面に与えられる圧力の変化に応じて前記速度を変更させるように構成され」るものとはならない。
　そして，本件発明１は，［相違点１］に係る速度の決定を行うことにより，最初の接触の際の圧力値に応じて，たとえ以降の検出圧力値の変化が同一である場合でも，画像のスクロール表示における速度が異なることによって，一層速やかにユーザが希望する画像のスクロール表示の速度に達することができる（本願明細書段落【００６８】，【００６９】，【図６】）という格別の効果を有するものである。
２　本願発明２及び３について
　本願発明２及び３は，本願発明１に対して，それぞれ「前記方向決定手段は前記複数の接触のうち、何れか２つの接触に基づいて方向を決定し、前記速度決定手段は２回目以降の何れかの接触に対する前記検出手段の検出結果に基づいて前記速度を決定するように構成されていること」及び「複数の圧力値の範囲を定める閾値を記憶している記憶部を備え、前記速度決定手段は前記閾値に基づいて速度を決定するように構成されていること」との技術的事項を追加したものである。
　そうすると，上記（１）に示した理由と同様の理由により，本件発明２及び３は，引用発明１でなく，又，引用発明１に基づいて容易に発明できたものであるとはいえない。
３　本願発明４について
（１）対比
　本願発明４と引用発明２とを対比すると，次のことがいえる。
ア　引用発明２の「カメラ付ディジタル携帯電話機１」は，「触覚センサ２０」が設けられており，この「触覚センサ２０」は，触覚センサ２０上に接触した物体を逐次検出しているから，この接触のために，本願発明４の「被接触面」に相当する構成を備えていると認められる。
　そして，引用発明２の「触覚センサ２０」は，圧力センサなどが高集積化することにより形成されるセンサであるから，本願発明４の「該被接触面への接触の際該被接触面に与えられる圧力値を検出する検出部」に相当する構成を備えていると認められる。
　さらに，引用発明２の「触覚センサ２０」は，触覚センサ２０上に接触した物体を逐次検出して検出信号を生成し，検出信号には，物体の触覚センサ２０上における位置情報が含まれているから，この「触覚センサ２０」が設けられた引用発明２の「カメラ付ディジタル携帯電話機１」は，本願発明４「被接触面と、該被接触面への接触の際該被接触面に与えられる圧力値を検出する検出部とを備え、該被接触面との接触により位置の指定を受け付けるタッチパネル装置」に相当する。
　加えて，スクロールの制御は，画像を表示する画像表示方法の一種であることに変わりなく，又，引用発明２は「カメラ付ディジタル携帯電話機１」の「スクロール制御方法」であるから，引用発明２の「スクロール制御方法」は，本願発明４の「被接触面と、該被接触面への接触の際該被接触面に与えられる圧力値を検出する検出部とを備え、該被接触面との接触により位置の指定を受け付けるタッチパネル装置にて、画像を表示する画像表示方法」に相当する。
イ　引用発明２の触覚センサ２０によって物体が逐次検出されることで，複数の位置を検出していると認められるから，引用発明２の「触覚センサ２０によって物体が逐次検出されることで始点と終点が設定され，設定された始点設定データと終点設定データに基づいてスクロール方向を設定」することは，本願発明４の「複数の位置の指定に係る位置に基づいて方向を決定する方向決定ステップ」に相当する。
ウ　引用発明２の「始点と終点との間における物体の押圧を算出し，算出された始点・終点間における押圧に応じてスクロール速度を設定」することは，本願発明４の「前記検出部による検出結果に基づいて速度を決定する速度決定ステップ」に相当する。
エ　引用発明２の「設定された速度によりスクロールが実行される」ことは，本願発明４の「決定された方向及び速度に基づいて、画像を移動表示するステップ」に相当する。
オ　引用発明２の「圧力情報に基づいて，設定された始点と終点との間における物体の押圧の最大値を算出し，押圧算出結果が予め設定された所定の基準値よりも大きいと判定された場合，スクロール速度を速めのスクロール速度Ａに設定し，押圧算出結果が予め設定された所定の基準値よりも小さいと判定された場合，スクロール速度を遅めのスクロール速度Ｂに設定する」ことと，本願発明４の「前記速度決定ステップにおいて、所定以下の間隔にて複数の接触があった場合、斯かる接触の都度、接触の際前記被接触面に与えられる圧力の変化に応じて前記速度を変更させ、かつ、１回目の接触に係る検出圧力値に応じて、２回目以降の検出圧力値に対応する速度が増加するように、前記速度を決定すること」は，「前記速度決定ステップにおいて，接触の際前記被接触面に与えられる圧力の変化に応じて前記速度を決定する」点で共通する。
カ　したがって，本願発明４と引用発明２との間には，次の一致点，相違点があるといえる。
［一致点］
「被接触面と，該被接触面への接触の際該被接触面に与えられる圧力値を検出する検出部とを備え，該被接触面との接触により位置の指定を受け付けるタッチパネル装置にて，画像を表示する画像表示方法において，
　複数の位置の指定に係る位置に基づいて方向を決定する方向決定ステップと，
　前記検出部による検出結果に基づいて速度を決定する速度決定ステップと，
　決定された方向及び速度に基づいて，画像を移動表示するステップと，
　を含み，
　前記速度決定ステップにおいて，接触の際前記被接触面に与えられる圧力の変化に応じて前記速度を決定することを特徴とする画像表示方法。」
［相違点２］
　「前記速度決定ステップにおいて，接触の際前記被接触面に与えられる圧力の変化に応じて前記速度を決定する」点について，本願発明４が「前記速度決定ステップにおいて、所定以下の間隔にて複数の接触があった場合、斯かる接触の都度、接触の際前記被接触面に与えられる圧力の変化に応じて前記速度を変更させ、かつ、１回目の接触に係る検出圧力値に応じて、２回目以降の検出圧力値に対応する速度が増加するように、前記速度を決定する」のに対して，引用発明２はそのような決定を行っていない点。
（２）相違点についての判断
　上記［相違点２］について検討すると，［相違点２］に係る速度の決定方式は，引用文献１に記載されておらず，又，周知の技術であるともいえないから，本願発明４は引用発明２ではなく，又，引用発明２に基づいて容易に発明できたものであるとはいえない。
　そして，本件発明４は，［相違点２］に係る速度の決定を行うことにより，最初の接触の際の圧力値に応じて，たとえ以降の検出圧力値の変化が同一である場合でも，画像のスクロール表示における速度が異なることによって，一層速やかにユーザが希望する画像のスクロール表示の速度に達することができる（本願明細書段落【００６８】，【００６９】、【図６】）という格別の効果を有するものである。
第７　原査定について
１　理由１（特許法第２９条第１項第３号について）
　審判請求時の補正により，本願発明１ないし４は，「前記速度決定ステップにおいて、所定以下の間隔にて複数の接触があった場合、斯かる接触の都度、接触の際前記被接触面に与えられる圧力の変化に応じて前記速度を変更させ、かつ、１回目の接触に係る検出圧力値に応じて、２回目以降の検出圧力値に対応する速度が増加するように、前記速度を決定する」という事項を備えるものとなったから，本願発明１ないし４は，拒絶査定において引用された引用文献１に記載された発明とはいえない。したがって，原査定の理由１を維持することはできない。
２　理由２（特許法第２９条第２項について）
　審判請求時の補正により，本願発明１ないし４は，「前記速度決定ステップにおいて、所定以下の間隔にて複数の接触があった場合、斯かる接触の都度、接触の際前記被接触面に与えられる圧力の変化に応じて前記速度を変更させ、かつ、１回目の接触に係る検出圧力値に応じて、２回目以降の検出圧力値に対応する速度が増加するように、前記速度を決定する」という事項を備えるものとなったから，本願発明１ないし４は，拒絶査定において引用された引用文献１に基づいて，容易に発明できたものとはいえない。したがって，原査定の理由２を維持することはできない。
第８　むすび
　以上のとおり，原査定の理由によっては，本願を拒絶することはできない。
　また，他に本願を拒絶すべき理由を発見しない。
　よって，結論のとおり審決する。